(57)【要約】【課題】防鳥ネットを現場で取り付けると、自動的に全ワイヤの張力が略等しくなる構造として、現場作業の省力化と工期の短縮化とを図った防鳥ネットを提供する。【解決手段】上部支持部材１と、下部支持部材２と、パッド５０を上下端に有した取付部材３，４とで枠体を形成し、ワイヤ５を張力自動調整機構６を介して上部支持部材１と下部支持部材２の間に張架する。好ましくは、ワイヤ５を上部支持部材１に係止させるストッパ６０と、下部支持部材２に上下動自在に嵌められた軸体７０と、軸体７０に係止された状態で軸体７０の外側に嵌められたコイルスプリング６３とで構成する。【選択図】      図２
2004159520.tif 000002
【特許請求の範囲】
【請求項１】
一対の上部及び下部支持部材と、
これら一対の上部及び下部支持部材間に張架された複数のワイヤと、
上記一対の上部及び下部支持部材の両端部にそれぞれ取り付けられ、上部及び下部支持部材の対向する端部間を広げ又は挟めるように上下方向に伸縮し、かつ、その上端部と下端部とに当接用のパッドを有する一対の取付部材と、
を備える防鳥ネットであって、
上記ワイヤの一方端を上記上部又は下部支持部材のうちの一方の支持部材に固定する固定部と、当該ワイヤの他方端を弾性部材を介して他方の支持部材に連結する連結部とを有してなる張力自動調整機構を設けた、
ことを特徴とする防鳥ネット。
【請求項２】
請求項１に記載の防鳥ネットにおいて、
上記張力自動調整機構の連結部を、
上記ワイヤの他方端が連結された軸体を上記他方の支持部材に設けられた孔内に上下動自在に嵌めると共に、当該軸体の外側に上に弾性部材を嵌め、当該弾性部材の端部のうち上記一方の支持部材側を向く先端部を上記他方の支持部材に当接すると共に弾性部材の後端部を上記軸体に係止させることにより、構成した、
ことを特徴とする防鳥ネット。
【請求項３】
請求項２に記載の防鳥ネットにおいて、
上記張力自動調整機構の固定部を、
上記一方の支持部材に設けられた孔に挿通された上記ワイヤの一方端に取り付けられ、当該ワイヤの張架時に当該一方の支持部材に係止するストッパで構成し、
上記連結部の軸体の先端部に係合穴を設けると共に、上記ワイヤの他方端に係合片を取り付け、当該係合片を上記係合穴と係合させることで、当該ワイヤを当該軸体に着脱自在に連結した、
ことを特徴とする防鳥ネット。
【請求項４】
請求項１ないし請求項３のいずれかに記載の防鳥ネットにおいて、
上記弾性部材は、コイルスプリング，ゴム体又はコイルスプリングとゴム体との結合体のいずれかである、
ことを特徴とする防鳥ネット。
【発明の詳細な説明】
【０００１】
【発明の属する技術分野】
この発明は、マンションのベランダ等に設置して鳩やカラス等の鳥の侵入を防止するための防鳥ネットに関し、特に、ワイヤの取付構造の改良に関するものである。
【０００２】
【従来の技術】
従来、防鳥ネットとしては、例えば、本案特許出願人が開示した技術がある（特許文献１）。
図１１は、従来の防鳥ネットを示す正面図である。
この防鳥ネットは、図１１に示すように、水平な一対の上部及び下部支持部材１００，１０１の両端部に、一対の取付部材１１０，１１１を取り付けて枠体を形成し、多数本のワイヤ１２０を上部及び下部支持部材１００，１０１の間に一定間隔で張架した構成になっている。また、この防鳥ネットの取付部材１１０，１１１の上端及び下端には、上下に伸縮するパッド１１２がそれぞれ取り付けられている。これにより、下側の一対のパッド１１２をベランダの手摺り等の上に載置した状態で、上側の一対のパッド１１２をベランダの天井に当て、これら上側の一対のパッド１１２又は下側の一対のパッド１１２を伸ばすことで、二対のパッド１１２をベランダの天井及び床に圧接させることができる。すなわち、パッド１１２を構造物の天井や床などに圧接することで、防鳥ネット全体をベランダに固定することができる。
【０００３】
【特許文献１】
特開平１０−５２２１１号公報
【０００４】
【発明が解決しようとする課題】
しかし、上記した従来の防鳥ネットでは、次のような問題がある。
図１２は、図１１の矢視Ａ−Ａ端面図であり、ワイヤ１２０の取付構造を示す。
ワイヤ１２０の取付方法は、例えば、ボルト１２１を下部支持部材１０１に穿設された孔１０１ａに上から挿通して、ナット１２２を螺入しておく。そして、上端にストッパ１２３を取り付けたワイヤ１２０を上部支持部材１００に穿設された孔１００ａに通して、ボルト１２１の位置まで垂らし、ワイヤ１２０の下端部をボルト１２１の止め輪１２１ａに結びつける。しかる後、ナット１２２を締め付けてワイヤ１２０の張力を一定にする。
同様にして、すべてのワイヤ１２０を上部支持部材１００と下部支持部材１０１との間に張架して、すべてのワイヤ１２０の張力を同等に設定する。
通常、このようなワイヤ１２０取付作業等は、予め工場で行い、現場では、防鳥ネットをベランダ等に取り付ける作業だけで済ますようにして、作業の効率化を図っている。
【０００５】
しかしながら、防鳥ネットをベランダ等に取り付けた際に、上部支持部材１００と下部支持部材１０１とが平行に配されることが、すべてのワイヤ１２０の張力が同等となるための条件であるが、実際の現場では、上部支持部材１００と下部支持部材１０１とが平行に配されてない場合が多々ある。
例えば、天井の立て付けが悪く、天井が右肩代わりに傾いている場合には、上部支持部材１００と天井との間隙を一定に保つために上部支持部材１００を天井と平行になるように傾けて取り付ける必要がある。
しかし、このように上部支持部材１００を傾けると、防鳥ネットの中央部のワイヤ１２０の張力は所望値を保つものの、中央部のワイヤ１２０の右側に位置するワイヤ１２０の張力が過大となり、左側のワイヤ１２０の張力は不足することとなる。
したがって、すべてのワイヤ１２０の張力を同等にするためには、中央部より右側のワイヤ１２０のナット１２２を緩めたり、左側のワイヤ１２０のナット１２２を締め付けたりする作業が必要である。
しかし、ナット１２２の操作でワイヤ１２０の張力を調整できる場合は、上部支持部材１００の傾斜が小さい場合に限られ、実際には、ナット１２２の調整のみで、ワイヤ１２０の張力を所望値に調整することが困難な場合が多い。
かかる場合には、ワイヤ１２０をほどいて、再度結び直すか、新たな長いワイヤ１２０に取り換えるかの作業を行わなければならず、現場での煩雑な作業が強いられるだけでなく、工期の長期化を招くおそれがある。
このような問題は、天井が水平な場合においても、生じることがある。
すなわち、ベランダの幅が広い場合には、ベランダ幅に略等しく設定された上部支持部材１００の長さも大きくなり、その結果、上部支持部材１００の中央部分が下方に撓んで、中央部分のワイヤ１２０が緩む事態が生じる。このような場合においても、中央部分を含む大多数のワイヤ１２０の結び直しの作業が必要となる。
以上のように、上記した従来の防鳥ネットでは、ワイヤ１２０の張力設定を工場で予め行っていても、現場で防鳥ネットを取り付ける際には、ワイヤ１２０の結び直しや取り換えの作業を行わなければならないことが多く、作業の煩雑化や工期の長期化を招くという問題があった。
【０００６】
この発明は上述した課題を解決するためになされたもので、防鳥ネットを現場で取り付けると、自動的に全ワイヤの張力が略等しくなる構造として、現場作業の省力化と工期の短縮化とを図った防鳥ネットを提供することを目的とするものである。
【０００７】
【課題を解決するための手段】
上記課題を解決するために、請求項１の発明は、一対の上部及び下部支持部材と、これら一対の上部及び下部支持部材間に張架された複数のワイヤと、一対の上部及び下部支持部材の両端部にそれぞれ取り付けられ、上部及び下部支持部材の対向する端部間を広げ又は挟めるように上下方向に伸縮し、かつ、その上端部と下端部とに当接用のパッドを有する一対の取付部材と、を備える防鳥ネットであって、ワイヤの一方端を上部又は下部支持部材のうちの一方の支持部材に固定する固定部と、ワイヤの他方端を弾性部材を介して他方の支持部材に連結する連結部とを有してなる張力自動調整機構を設けた構成としてある。
かかる構成により、下部支持部材を取付部材の下端部のパッドを介して構造物の床部に載せ、取付部材を伸縮させて、取付部材の上端部のパッドを天井部に当接させることで、上部支持部材を天井部真下近傍に固定することができる。また、上部支持部材が天井部に対して傾いている場合には、一方の取付部材の長さを調節することで、上部支持部材を天井部に対して平行に位置させることができる。このとき、上部支持部材が下部支持部材に対して傾くので、複数のワイヤの張力に、差異が生じるおそれがある。しかし、かかる場合には、張力自動調整機構の弾性部材が上部支持部材の傾きに応じて伸縮するので、複数のワイヤの張力が略等しくなる。
【０００８】
また、請求項２の発明は、請求項１に記載の防鳥ネットにおいて、張力自動調整機構の連結部を、ワイヤの他方端が連結された軸体を他方の支持部材に設けられた孔内に上下動自在に嵌めると共に、軸体の外側に上に弾性部材を嵌め、弾性部材の端部のうち一方の支持部材側を向く先端部を他方の支持部材に当接すると共に弾性部材の後端部を軸体に係止させることにより、構成した。
かかる構成により、ワイヤが一方の支持部材側に引張られると、軸体が一方の支持部材側に移動する。このとき、弾性部材が軸体の移動に伴って縮むので、ワイヤに所定の張力が加わる。また、ワイヤが緩むと、弾性部材が伸び、軸体を一方の支持部材側から離れる方向に移動させると共に、ワイヤに所定の張力を付与する。
【０００９】
さらに、請求項３の発明は、請求項２に記載の防鳥ネットにおいて、張力自動調整機構の固定部を、一方の支持部材に設けられた孔に挿通されたワイヤの一方端に取り付けられ、ワイヤの張架時に一方の支持部材に係止するストッパで構成し、連結部の軸体の先端部に係合穴を設けると共に、ワイヤの他方端に係合片を取り付け、係合片を係合穴と係合させることで、ワイヤを軸体に着脱自在に連結した構成としてある。
かかる構成により、ワイヤを一方の支持部材の孔に挿通し、ワイヤの他方端の係合片を軸体の係合穴に係合させることができる。これにより、ワイヤが弾性部材の弾性力によって他方の支持部材側に引張られ、ストッパが一方の支持部材に係止して、ワイヤが上部及び下部支持部材間に張架される。また、係合片を軸体の係合穴から外すことで、ワイヤを取り外すことができる。
【００１０】
特に、請求項４の発明は、請求項１ないし請求項３のいずれかに記載の防鳥ネットにおいて、弾性部材は、コイルスプリング，ゴム体又はコイルスプリングとゴム体との結合体のいずれかである構成とした。
【００１１】
【発明の実施の形態】
以下、この発明の実施の形態について図面を参照して説明する。
図１は、この発明の一実施形態に係る防鳥ネットの正面図であり、図２はその背面図である。
図１及び図２に示すように、この実施形態に係る防鳥ネットは、一対の上部及び下部支持部材１，２と、これら上部及び下部支持部材１，２の両端部に組み付けられた左右一対の取付部材３，４と、上部及び下部支持部材１，２間に張架される複数のワイヤ５とを備えている。
【００１２】
図３は、防鳥ネットを背面側から見た分解斜視図である。
上部及び下部支持部材１，２は、図３に示すように、同一形状を呈し、断面コ字状の長尺の鋼材やステンレス材で形成されている。このような上部及び下部支持部材１，２の両端部には、挿通孔１０が穿設され、後述するボルト１１を挿通させることができるようになっている。
【００１３】
左右一対の取付部材３，４は、上記上部及び下部支持部材１，２をマンションのベランダ等の天井部と床部との間に取り付けるための部材であり、上部及び下部支持部材１，２の両端部にそれぞれ組み付けられ、上部及び下部支持部材１，２の端部間を広げ又は挟めるように上下方向に伸縮できるようになっている。また取付部材３（４）は、上端部と下端部とに当接用のパッド５０を有している。
【００１４】
具体的には、取付部材３（４）は、上部及び下部支持部材１，２の両端にボルト１１等により固着された上下一対の継ぎ手３０，４０と、これら継ぎ手３０，４０間に介在された中空の金属製のパイプ３１と、一端にパッド５０を備え且つ外周に雄ネジ溝が刻設された上下一対のネジ棒３２，４２とから構成されている。
継ぎ手３０（４０）は、ボルトの挿入孔３３ａ（４３ａ）を備えた細長い平板状の取付部３３（４３）と、この取付部３３（４３）の中央部に溶接等により固着された中空の円筒部３４（４４）とで形成されている。
ネジ棒３２は、円筒部３４の中空孔３４ａ内に挿入された状態で、上下一対のナット３５，３６により、継ぎ手３０に固定されている。そして、そのネジ棒３２の下端部は、パイプ３１の上端よりその内部の中空孔３１ａ内に挿入されている。一方、ネジ棒４２は、円筒部４４の中空孔４４ａ内に挿入された状態で、上下一対のナット４５，４６により、継ぎ手４０に固定されている。そして、ネジ棒４２の上端部は、長さ調節用のナット４７とワッシャ４８とが装着された状態で、パイプ３１の下端からその中空孔３１ａ内に挿入されている。
パッド５０は、上記のように継ぎ手３０（４０）を介してパイプ３１に挿入されたネジ棒３２（４２）に溶接等で固着された金属製の基板５０ａと、基板５０ａに貼り付けられたゴム等の弾性材５０ｂとで構成されている。
【００１５】
図１及び図２に示す複数のワイヤ５は、同一長さの釣り糸やピアノ線等であり、各ワイヤ５の上端部が上部支持部材１に固定され、下端部が下部支持部材２に連結された状態で、一対の上部及び下部支持部材１，２間に張架されている。
【００１６】
この実施形態の防鳥ネットでは、上記複数のワイヤ５の張力を自動的に調整する張力自動調整機構６が設けられている。
図４は、張力自動調整機構６を示すための図２の矢視Ｂ−Ｂ端面図である。
図４に示すように、張力自動調整機構６は、固定部としてのストッパ６０と、連結部としての弾性機構６２とを有してなる。
【００１７】
ストッパ６０は、ワイヤ５の上端（一方端）を上部支持部材１に固定するためのものである。具体的には、孔６１が上部支持部材１の下面部１ａに所定間隔で穿設されており、各ワイヤ５をこの孔６１に挿通して、下方に引張ることでストッパ６０が下面部１ａに係止するようになっている。
【００１８】
一方、弾性機構６２は、ワイヤ５の下端（他方端）をコイルスプリング６３を介して下部支持部材２に連結した構造となっている。
具体的には、孔７１が上記上部支持部材１の孔６１と対応して下部支持部材２の上面部２ａに穿設され、軸体７０がこの孔７１に上下動自在に嵌められている。そして、コイルスプリング６３が、軸体７０の下部の外側に嵌められている。
図５は、軸体７０を示す斜視図である。
図５に示すように、軸体７０は、孔７１より幅広の頭部７０ａ（先端部）を有しており、この頭部７０ａには、切溝７０ｂと係合穴７０ｃとが形成されている。これに対応して、ワイヤ５の下端（他方端）には、上部支持部材１の孔６１の径よりも小さい係合片６４が固着されている。頭部７０ａの切溝７０ｂの幅は、ワイヤ５の太さよりも若干大きめに設定され、係合穴７０ｃの大きさは、係合片６４よりも若干大きめに設定されている。これにより、ワイヤ５を切溝７０ｂに挿入しながら、係合片６４を係合穴７０ｃ内に嵌め込み、ワイヤ５を上方に引張ると、係合片６４が係合穴７０ｃ内で頭部７０ａに係合するようになっている。また、逆に、係合片６４を係合穴７０ｃ内から取り出すことで、ワイヤ５を軸体７０から簡単に外すことができる。
一方、軸体７０に嵌められたコイルスプリング６３は、図４に示すように、その上端（先端部）を下部支持部材２の上面部２ａに当接させると共に、その下端（後端部）を、軸体７０の下端部に嵌められ且つＥ−リング７２で下方から支持されたワッシャ７３に係止させた状態で軸体７０に装着されている。
これにより、ワイヤ５を上方に引張ると軸体７０がコイルスプリング６３の弾性力に抗して上方に移動し、ワイヤ５を下方に引くと軸体７０がコイルスプリング６３の弾性力によって下方に移動する。
【００１９】
次に、この実施形態の防鳥ネットの使用例と機能とについて説明する。
図６は、防鳥ネットをマンションのベランダに取付けた状態を示す正面図である。
防鳥ネットは、図６に示すマンションのベランダに取り付ける前に、防鳥ネットを工場等から当該現場に搬送するが、工場等において、複数のワイヤ５を上部支持部材１の孔６１に通すと共に、その係合片６４を下部支持部材２側の軸体７０の係合穴７０ｃに嵌め込んでおく。
かかる状態の上部支持部材１及び下部支持部材２と分離状態の取付部材３，４とを現場に搬送した後、取付部材３，４を上部及び下部支持部材１，２の両端部に組み付ける。すなわち、上部支持部材１及び下部支持部材２の両端に、継ぎ手３０，４０を取り付けた後、継ぎ手３０，４０の円筒部３４，４４にネジ棒３２，４２を挿通し、上下一対のナット３５，３６，４５，４６により挟み付けて、各ネジ棒３２，４２を各継ぎ手３０，４０の円筒部３４，４４に固定する。そして、取付部材３，４の下方のネジ棒４２の上端部に、ナット４７とワッシャ４８を嵌めてから、ネジ棒４２をパイプ３１を装着する。しかる後、パイプ３１の上端に、上方のネジ棒３２の下端部を挿入する。
このように、防鳥ネットを組み付けた状態で、図６に示すように防鳥ネットをベランダの防護柵８０と天井部９０との間に嵌め、下方のパッド５０を防護柵８０の手摺り８１の上に載置する。
次いで、長さ調節用のナット４７を回転させて、パイプ３１を下方のネジ棒４２に対して上昇させる。上方のネジ棒３２の上端のパッド５０がベランダの天井部４９に当接する迄、パイプ３１を上昇させて、上方及び下方のパッド５０，５０に適度の押圧力が加わるようにする。このように、取付部材３，４を適宜伸縮させることで、防鳥ネットをベランダの防護柵８０と天井部９０との間に固定することができる。
【００２０】
図６に示すように、天井部９０が水平な場合には、取付部材３，４の長さを等しくすることで、上部支持部材１を天井部９０に対して平行にすることができる。かかる状態では、すべてのワイヤ５の張力は等しい。
ところが、図７に示すように、天井部９０が右肩上がりに傾いている場合には、右側の取付部材３を長くすると共に、左側の取付部材４を短くして、上部支持部材１を天井部９０に平行にする必要がある。
しかし、かかる状態では、中央のワイヤ５（５−１）に所望の張力が生じるものの、中央のワイヤ５（５−１）の右側に位置するワイヤ５（５−２）への張力は所望張力値よりも過大になり、左側に位置するワイヤ５（５−３）への張力は所望張力値に達しないという事態が生じるおそれがある。
【００２１】
しかしながら、この実施形態では、張力自動調整機構６が設けられているので、すべてワイヤ５の張力が自動的に所望値に略等しくなるように調整される。
図８は、上部支持部材１と下部支持部材２の間が所望値よりも広い場合に、ワイヤ５に生じる過大な張力を逃がす状態を示す端面図であり、図９は、上部支持部材１と下部支持部材２の間が所定値よりも狭い場合に、ワイヤ５に所望の張力を発生させる状態を示す端面図である。
【００２２】
図７に示す右側位置のワイヤ５（５−２）のように、過大な張力が生じると、図８に示すように、張力自動調整機構６の軸体７０が上昇して、過大な張力を逃がすと共に、コイルスプリング６３がワイヤ５を下方に付勢して、ワイヤ５に所望の張力を生じさせる。
また、図７に示す左側位置のワイヤ５（５−３）のように、張力が不足すると、図９に示すように、張力自動調整機構６のコイルスプリング６３が軸体７０を下方に移動させると共に、その付勢力でワイヤ５に所望の張力を生じさせる。
すなわち、図７に示すように、天井部９０の傾きと略等しい傾きを持つ仮想線Ｌ１に沿うように、複数の軸体７０が下部支持部材２から突出して、すべてのワイヤ５の張力を略等しくさせるのである。
【００２３】
また、天井部９０が水平であっても、ワイヤ５の張力に差異が生じる場合がある。
図１０は、上部支持部材１が撓んだ状態を示す防鳥ネットの正面図である。
図１０に示すように、ベランダの幅が広いために、長い上部支持部材１及び下部支持部材２を使用しなければならない場合には、上部支持部材１の中央部が僅かに下方に撓んで、中央部のワイヤ５の張力が不足する事態が生じるおそれがある。
しかし、かかる場合においても、張力自動調整機構６の機能により、複数の軸体７０が、天井部９０の撓みに対応した仮想線Ｌ２に沿うように、下部支持部材２から突出して、すべてのワイヤ５の張力を略等しくさせる。
【００２４】
なお、上記例では、上部支持部材１が傾き又は撓んだ場合における張力自動調整機構６の機能を説明したが、下部支持部材２が傾き又は撓んだ場合においても、張力自動調整機構６が同様に機能してすべてのワイヤ５の張力を略等しくすることは勿論である。
【００２５】
このように、この実施形態の防鳥ネットによれば、上部支持部材１や下部支持部材２が傾き又は撓んだ場合においても、張力自動調整機構６の機能によって、すべてのワイヤ５の張力が略等しくなるので、ワイヤ５の長さ調整や交換作業をする必要はない。また、ワイヤ５を交換しなければならない事態が生じた場合においても、係合片６４を軸体７０の係合穴７０ｃから外し、ワイヤ５を上部支持部材１から引き抜くことで、ワイヤ５の交換作業を簡単に行うことができる。
【００２６】
なお、この発明は上記実施形態に限定されるものではなく、発明の要旨の範囲内において、種々の変形が可能である。
上記実施形態では、ストッパ６０をワイヤ５の上端に付けて上部支持部材１に係止させるようにして、弾性機構６２を下部支持部材２側に設けたが、逆の構造、即ち、ストッパ６０をワイヤ５の下端に付けて下部支持部材２に係止させ、弾性機構６２を上部支持部材１側に設けて、ワイヤ５の上端を軸体７０に連結するようにしてもよい。
また、上記実施形態では、張力自動調整機構６の弾性部材としてコイルスプリング６３を用いたことが、コイルスプリング６３の代わりに、円筒形のゴム体を用いてもよい。さらに、このゴム体とコイルスプリング６３とを直列に結合した結合体を軸体７０に嵌めるようにしてもよい。
また、上記実施形態では、パッド５０を金属製の基板５０ａに、ゴム等の弾性材５０ｂを貼り付けた構造にしたが、これに限るものでなく、パッド５０を基板５０ａのみで構成し、基板５０ａの表面に滑り止め用の凹凸を設けてもよい。
さらに、上記実施形態では、ストッパ６０と弾性機構６２とで構成した張力自動調整機構６を例示したが、弾性機構６２を用いず、コイルスプリング６３の一端を下部支持部材２の上面部２ａに固着し、コイルスプリング６３の他方をワイヤ５の下端を連結した構造の張力自動調整機構を発明の要旨の範囲から除外する意味ではない。
【００２７】
【発明の効果】
以上詳しく説明したように、この発明の防鳥ネットによれば、防鳥ネットを構造的に取り付ける際に、上部又は下部支持部材が傾いたり、撓んだりした場合においても、張力自動調整機構の弾性部材が支持部材の傾きや撓みに対応して伸縮し、複数のワイヤの張力を略等しくするので、張力を等しくするために、現場でワイヤの長さを調整したり、ワイヤを交換する作業を行う必要がない。この結果、現場作業の省略化と工期の短期化とを図ることができるという優れた効果がある。
特に、請求項３の発明に係る防鳥ネットによれば、ワイヤの取付け及び取外し作業を簡単に行うことができるので、作業の迅速化を図ることができる。
【図面の簡単な説明】
【図１】この発明の一実施形態に係る防鳥ネットの正面図である。
【図２】その背面図である。
【図３】防鳥ネットを背面側から見た分解斜視図である。
【図４】張力自動調整機構を示すための図２の矢視Ｂ−Ｂ端面図である。
【図５】軸体を示す斜視図である。
【図６】防鳥ネットをマンションのベランダに取付けた状態を示す正面図である。
【図７】上部支持部材が傾いた状態を示す防鳥ネットの正面図である。
【図８】上部支持部材と下部支持部材の間が所望値よりも広い場合に、ワイヤに生じる過大な張力を逃がす状態を示す端面図である
【図９】上部支持部材と下部支持部材の間が所定値よりも狭い場合に、ワイヤに所望の張力を発生させる状態を示す端面図である。
【図１０】上部支持部材が撓んだ状態を示す防鳥ネットの正面図である。
【図１１】従来の防鳥ネットを示す正面図である。
【図１２】図１１の矢視Ａ−Ａ端面図であり、ワイヤの取付構造を示す。
【符号の説明】
【符号の説明】
１…上部支持部材、  ２…下部支持部材、  ３，４…取付部材、５…ワイヤ、６…張力自動調整機構、  ５０…パッド、  ６０…ストッパ、  ６１…孔、  ６２…弾性機構、  ６３…コイルスプリング、  ６４…係合片、  ７０…軸体、  ７０ａ…頭部、  ７０ｂ…切溝、  ７０ｃ…係合穴、  ７１…孔、  ７２…Ｅ−リング、  ７３…ワッシャ、  ８０…防護柵、  ９０…天井部。
【図１】
2004159520.tif 000003
【図２】
2004159520.tif 000004
【図３】
2004159520.tif 000005
【図４】
2004159520.tif 000006
【図５】
2004159520.tif 000007
【図６】
2004159520.tif 000008
【図７】
2004159520.tif 000009
【図８】
2004159520.tif 000010
【図９】
2004159520.tif 000011
【図１０】
2004159520.tif 000012
【図１１】
2004159520.tif 000013
【図１２】
2004159520.tif 000014